(57)【要約】      （修正有）【課題】ポンチョが嵩張ることなく、バッグを使用でき、ポンチョを取り外して洗浄でき、自転車乗車時にポンチョ下端縁がばたつかないポンチョ収納型バッグを提供する。【解決手段】上部に面ファスナー２を有し、上部両端に肩ベルトを有するバッグ本体１と、バッグ本体の底部４にその周囲を着脱する蓋部５とを備え、バッグ本体の底部４と蓋部の裏面７にはそれぞれ撥水シート６ａを縫合し、撥水シート６ａと蓋部の裏面８に縫合した撥水シート６ｂによってポンチョを収納する収納ポケット９を設け、蓋部の裏面８とポンチョの下端縁とに、面ファスナーの接合部を設け、自転車乗車時に、開けた蓋部の裏面７から捲れ上がったポンチョを被って、臀部又は臀部近傍にバッグ本体の底部側の側壁部１４が位置するように肩ベルトの長さを調整する。【選択図】図２
0003202949.tif 000002
【実用新案登録請求の範囲】
【請求項１】
上部に面ファスナーを有し、上部両端に肩ベルトを有するバッグ本体と、前記バッグ本体の底部にその周囲を着脱する蓋部とを備え、
前記バッグ本体の底部と前記蓋部の裏面にはそれぞれ撥水シートを縫合し、前記バッグ本体の底部に縫合した撥水シートと前記蓋部の裏面に縫合した撥水シートによってポンチョを収納する収納ポケットを設け、
前記蓋部の裏面と前記ポンチョの下端縁とに、接合部を設けたことを特徴とするポンチョ収納型バッグ。
【請求項２】
前記接合部は、それぞれ面ファスナーの一方の面と他方の面であり、着脱可能であることを特徴とした請求項１記載のポンチョ収納型バッグ。
【請求項３】
自転車乗車時に、開けた前記蓋部の裏面から捲れ上がったポンチョを被って、臀部又は臀部近傍にバッグ本体の底部側の側壁部が位置するように前記肩ベルトの長さを調整するようにしたことを特徴とする請求項２記載のポンチョ収納型バッグ。
【考案の詳細な説明】
【技術分野】
【０００１】
本発明は、ポンチョ収納型バッグに関し、肩ベルトを有する肩掛けバックに好適なポンチョ収納型バッグに関する。
【背景技術】
【０００２】
従来のこの種バッグは、レインコート、ポンチョ等の雨具が雨に濡れることを想定して、リュック等のバッグとは別個に収納部のあるバッグを用意し、その中に雨具を収納していた(特許文献１)。
【０００３】
また鞄の内側上面の内袋にポンチョ等の雨具を収めた手提げ鞄が提供されている(特許文献２)。ポンチョ等の雨具使用時には鞄は使えない問題点を有していた。
【０００４】
一方、背負い鞄本体の裏面にポンチョ等の雨具収納袋に収納させた鞄が提供されている(特許文献３)。
【０００５】
特に、自転車乗車時等において途中で雨風に遭遇しても、サドルに腰をかけたままバッグとしての機能を十分使用することができ、自転車乗車時にポンチョ下端縁がばたつくことなく、サイクリングを続行できるサイクリング特有のバッグは従来提供されていない(特許文献４、特許文献５)。
【先行技術文献】
【特許文献】
【０００６】
【特許文献１】特許５４８８４３２号
【特許文献２】特開２００７―３１９６５２
【特許文献３】実開平７―３６７３２
【特許文献４】特許番号第２７９９７３９号
【特許文献５】実開平５−９４０８５
【考案の概要】
【考案が解決しようとする課題】
【０００７】
本考案の目的は、バッグとポンチョが一体となってもポンチョが嵩張ることなく、バッグを使用することができ、ポンチョの取り外しが可能でポンチョを洗浄することができ、自転車乗車時にポンチョ下端縁がばたつかないポンチョ収納型バッグ、特に肩ベルトを有する肩掛けバックを提供する点にある。
【課題を解決するための手段】
【０００８】
前記課題を解決するため、
請求項１の考案は、上部に面ファスナーを有し、上部両端に肩ベルトを有するバッグ本体と、前記バッグ本体の底部にその周囲を着脱する蓋部とを備え、
前記バッグ本体の底部と前記蓋部の裏面にはそれぞれ撥水シートを縫合し、前記バッグ本体の底部に縫合した撥水シートと前記蓋部の裏面に縫合した撥水シートによってポンチョを収納する収納ポケットを設け、
前記蓋部の裏面と前記ポンチョの下端縁とに、接合部を設けたことを特徴とするポンチョ収納型バッグを採用した。
【０００９】
請求項２の考案は、前記接合部は、それぞれ面ファスナーの一方の面と他方の面であり、着脱可能であることを特徴とした請求項１記載のポンチョ収納型バッグを採用した。
【００１０】
請求項３の考案は、自転車乗車時に、開けた前記蓋部の裏面から捲れ上がったポンチョを被って、臀部又は臀部近傍にバッグ本体の底部側の側壁部が位置するように前記肩ベルトの長さを調整するようにしたことを特徴とする請求項１又は請求項２記載のポンチョ収納型バッグを採用した。
【考案の効果】
【００１１】
請求項１の考案は、バッグと、ポンチョが一体となって、ポンチョがかさばらない効果を発揮する。特に従来はバッグとは別個に収納部のあるバッグが設けられていたことから、従来バッグは煩雑な構造であった。また前記蓋部の裏面と前記ポンチョの下端縁とに、接合部を設けたことによって、バッグの上部に設けられた面ファスナーを開閉して内容物を取り出すことができ、バックとしての機能が十分発揮できる。また自転車乗車時に、バッグの裏面に設けられた面ファスナーを開け、開けた前記蓋部の裏面から捲れ上がったポンチョを被って、臀部又は臀部近傍にバッグ本体の底部側の側壁部が位置するように前記肩ベルトの長さを調整するようにできることから、自転車乗車時に、バッグが錘となってポンチョ下端縁が臀部又は臀部近傍に当たり、ポンチョ下端縁がバタバタとばたつかない効果を奏する。また前記接合部は、それぞれ面ファスナーであるから着脱可能となり、因ってポンチョの取り外しが可能となり、ポンチョの洗浄が容易にできる。
【００１２】
また請求項２の考案により、着脱可能にして、ポンチョの取り外しが可能でポンチョの洗浄が容易にできる。請求項３の考案により、自転車乗車時に、ポンチョ下端縁がバッグ底部と面ファスナーによって接合されているから、いわばバッグが錘となってポンチョ下端縁がばたつかない効果を奏する。かかる作用効果は格別顕著である。
【図面の簡単な説明】
【００１３】
【図１】本発明の一実施形態を示す正面図である。
【図２】同底部の面ファスナーを開けた状態を示す正面図である。
【図３】同底部の面ファスナーを開けてポンチョ収納ポケットを見せた状態を示す側面である。
【図４（ａ）】着る時の過程を示す正面図であり、面ファスナーを開けてポンチョを取り出す図である。
【図４（ｂ）】着る時の過程を示す正面図であり、  肩ベルトを背負ったままポンチョを着る図である。
【図４（ｃ）】着る時の過程を示す正面図であり、ポンチョのボタンを留めてポンチョを装着する図である。
【図５（ａ）】しまう時の過程を示す正面図であり、ポンチョを裏向きに３つ折りにする図である。
【図５（ｂ）】しまう時の過程を示す正面図であり、空気を抜きながらポンチョをクルクルと巻く図である。
【図５（ｃ）】しまう時の過程を示す正面図であり、ポンチョを収納ポケットに収納し、面ファスナーを閉める図である。
【図６】同ポンチョを着て自転車に乗車した時の図である。
【考案を実施するための形態】
【００１４】
図１は本発明の一実施形態を示す正面図である。図２は同底部の面ファスナーを開けてポンチョ収納ポケットを見せた状態を示す正面図である。
【００１５】
図１〜３において、１は上部に面ファスナー２を有し、上部両端に肩ベルト３を有するバッグ本体であり、前記バッグ本体１の底部４にその周囲を着脱する蓋部５が備えられている。６ａは前記バッグ本体１の底部４の裏面７に縫合された撥水シートであり、６ｂは前記蓋部４の裏面８に縫合された撥水シートである。９は前記撥水シート６ａと前記撥水シート６ｂによってポンチョ１０を収納する収納ポケットである。一方、１２は前記蓋部５の裏面８と前記ポンチョ１０裏面の下端縁１１と設けた接合部である。この実施例では接合部１２はそれぞれ面ファスナー１３の一方の面１３ａと他方の面１３ｂで構成され、着脱可能としている。
【００１６】
従って、風雨があるときでも、図４に示す様に、（ａ）  蓋部５のジッパー（図示せず）を開けてポンチョ１０を取り出し、（ｂ）肩ベルト３を背負ったままポンチョ１０を着て、（ｃ）  ポンチョ１０のボタン（図示せず）を留めてポンチョ１０を装着する。またしまう時は、図５に示す様に、（ａ）ポンチョ１０を裏向きに例えば３つ折りにし、（ｂ）空気を抜きながらポンチョ１０をクルクルと巻いて、（ｃ）  ポンチョ１０を収納ポケット９に収納し、蓋部５のジッパー（図示せず）を閉める。
【００１７】
よって、上記のとおり、このポンチョ収納型バッグはバッグとポンチョが一体となっているからポンチョが嵩張ることなく、しかもバッグとしても使用することができる。また接合部１２を面ファスナー１３とした場合は、ポンチョ１０を収納ポケット９から取り外しが可能で、ポンチョを独立して洗浄することもできる。
【００１８】
このバッグを用いて自転車を乗車する時には、バッグ本体１の裏面７に設けられた面ファスナー１３を開け、開けた前記蓋部５の裏面８から捲れ上がったポンチョ１０を被って、臀部又は臀部近傍にバッグ本体１の底部４側の側壁部１４が位置するように前記肩ベルト３の長さを調整するようにすれば、図６に示すように、自転車乗車時に雨風によってポンチョ下端縁がバタバタとばたつかない。
【００１９】
ところでこの考案は上記実施例に限定されるものでない。上記実施例では接合部は面ファスナーを採用しているがこれに限らない。着脱できすれば適用できるものである。また自転車乗車時に、開けた前記蓋部の裏面から捲れ上がったポンチョを被って、臀部又は臀部近傍にバッグ本体の底部側の側壁部が位置するように前記肩ベルトの長さを調整するようにすればよいものである。なお、ここで調整するとは長さを調整するもので足りる。
【００２０】
以上の通り、この考案は上部に面ファスナーを有し、上部両端に肩ベルトを有するバッグ本体と、前記バッグ本体の底部にその周囲を着脱する蓋部とを備え、
前記バッグ本体の底部と前記蓋部の裏面にはそれぞれ撥水シートを縫合し、前記バッグ本体の底部に縫合した撥水シートと前記蓋部の裏面に縫合した撥水シートによってポンチョを収納する収納ポケットを設け、前記蓋部の裏面と前記ポンチョの下端縁とに、接合部を設けたポンチョ収納型バッグであるため、とっさの雨でもバッグから収納されたポンチョを取り出し、サット被るだけで対応することができ、バッグとポンチョが一体なので体だけでなく、バッグまで包んで雨から守ってもらうという効果を奏するばかりでなく、バッグとポンチョが一体であることからポンチョが嵩張らない効果を発揮し、またポンチョの取り外しが可能なためポンチョを取り出し、洗浄を自由にすることができ、自転車乗車時にポンチョ下端縁がバタバタとばたつかない効果を発揮する。
【００２１】
特に、前記接合部をそれぞれ面ファスナーの一方の面と他方の面とすれば、ポンチョの着脱が可能で、ポンチョ単体を洗浄することが顕著に可能である。また自転車乗車時に、開けた前記蓋部の裏面から捲れ上がったポンチョを被って、臀部又は臀部近傍にバッグ本体の底部側の側壁部が位置するように前記肩ベルトの長さを調整するようにしたポンチョ収納型バッグであれば、自転車乗車時に、風によってポンチョ下端縁がバタバタとばたつかない効果をさらに発揮する。
【符号の説明】
【００２２】
１      バッグ本体
２      面ファスナー
３      肩ベルト
４      底部
５      蓋部
６ａ    撥水シート
６ｂ    撥水シート
７      裏面
８      裏面
９      収納ポケット
１０    ポンチョ
１１    下端縁
１２    接合部
１３    面ファスナー
１３ａ  一方の面
１３ｂ  他方の面
【図１】
0003202949.tif 000003
【図２】
0003202949.tif 000004
【図３】
0003202949.tif 000005
【図４（ａ）】
0003202949.tif 000006
【図４（ｂ）】
0003202949.tif 000007
【図４（ｃ）】
0003202949.tif 000008
【図５（ａ）】
0003202949.tif 000009
【図５（ｂ）】
0003202949.tif 000010
【図５（ｃ）】
0003202949.tif 000011
【図６】
0003202949.tif 000012